(57)【要約】  【課題】  適切な蒸し調理ができる連続式コンビオーブンを提供する。  【解決手段】連続式コンビオーブン１は、一側面部５に入口側開口15を形成し他側面部６に出口側開口25を形成し内側に加熱室11を形成したオーブン本体10を備える。連続式コンビオーブン１は、オーブン本体10の入口側開口15の周縁部から一側方に向って突出した先端面開口状の筒状入口部17を備える。連続式コンビオーブン１は、オーブン本体10の出口側開口25の周縁部から他側方に向って突出した先端面開口状の筒状出口部27を備える。  【選択図】図１
2005074155.tif 000002
【特許請求の範囲】
【請求項１】
被加熱物を連続的に加熱調理する連続式コンビオーブンであって、
一側面部に入口側開口が形成され、他側面部に出口側開口が形成され、内側に加熱室が形成されたオーブン本体と、
前記オーブン本体の前記入口側開口の周縁部から一側方に向って突出した先端面開口状の筒状入口部と、
前記オーブン本体の前記出口側開口の周縁部から他側方に向って突出した先端面開口状の筒状出口部と
を備えることを特徴とする連続式コンビオーブン。
【請求項２】
筒状入口部の先端面開口からの余剰蒸気を受け入れ、この受け入れた余剰蒸気を排気煙突部から排気する入口側煙突付排気フードと、
筒状出口部の先端面開口からの余剰蒸気を受け入れ、この受け入れた余剰蒸気を排気煙突部から排気する出口側煙突付排気フードと
を備えることを特徴とする請求項１記載の連続式コンビオーブン。
【請求項３】
入口側煙突付排気フードは、筒状入口部の略全体を覆うように配設されたフード本体部と、このフード本体部から上方に向って突出した排気煙突部とを有し、
出口側煙突付排気フードは、筒状出口部の略全体を覆うように配設されたフード本体部と、このフード本体部から上方に向って突出した排気煙突部とを有する
ことを特徴とする請求項２記載の連続式コンビオーブン。
【請求項４】
筒状入口部および筒状出口部は、いずれも、縦断面形状が横長略矩形状をなす筒状部材にて構成されている
ことを特徴とする請求項１ないし３のいずれか一記載の連続式コンビオーブン。
【発明の詳細な説明】
【技術分野】
【０００１】
本発明は、被加熱物を連続的に加熱調理する連続式コンビオーブンに関するものである。
【背景技術】
【０００２】
従来、例えば前面部、後面部、左右の側面部、上面部および下面部を有し内側に加熱室が形成された略箱状のオーブン本体と、オーブン本体の一側面部に形成された入口と、オーブン本体の他側面部に形成された出口と、被加熱物を入口から加熱室を経て出口へと搬送する搬送手段であるネットコンベヤとを備えた連続式オーブンが知られている（例えば、特許文献１参照）。
【特許文献１】特開平１１−５６６４６号公報
【発明の開示】
【発明が解決しようとする課題】
【０００３】
しかしながら、上記連続式オーブンでは、熱気と蒸気を利用して被加熱物の加熱調理を行っているものがあるが、蒸気を利用して被加熱物を蒸し調理する場合において、このような装置では、オーブン本体の加熱室内全体に蒸気を充満させようとしても蒸気が入口および出口から容易に逃げてしまうため、加熱室内に温度差が生じ、その結果、適切な蒸し調理ができないものであった。
【０００４】
本発明は、このような点に鑑みなされたもので、適切な蒸し調理ができる連続式コンビオーブンを提供することを目的とする。
【課題を解決するための手段】
【０００５】
請求項１記載の連続式コンビオーブンは、被加熱物を連続的に加熱調理する連続式コンビオーブンであって、一側面部に入口側開口が形成され、他側面部に出口側開口が形成され、内側に加熱室が形成されたオーブン本体と、前記オーブン本体の前記入口側開口の周縁部から一側方に向って突出した先端面開口状の筒状入口部と、前記オーブン本体の前記出口側開口の周縁部から他側方に向って突出した先端面開口状の筒状出口部とを備えるものである。
【０００６】
そして、オーブン本体の加熱室の蒸気が加熱室外に逃げにくいため、加熱室内全体の温度が略一定に維持され、適切な蒸し調理が可能である。
【０００７】
請求項２記載の連続式コンビオーブンは、請求項１記載の連続式コンビオーブンにおいて、筒状入口部の先端面開口からの余剰蒸気を受け入れ、この受け入れた余剰蒸気を排気煙突部から排気する入口側煙突付排気フードと、筒状出口部の先端面開口からの余剰蒸気を受け入れ、この受け入れた余剰蒸気を排気煙突部から排気する出口側煙突付排気フードとを備えるものである。
【０００８】
そして、入口側煙突付排気フードにて筒状入口部の先端面開口からの余剰蒸気を適切に排気可能であるとともに、出口側煙突付排気フードにて筒状出口部の先端面開口からの余剰蒸気を適切に排気可能である。
【０００９】
請求項３記載の連続式コンビオーブンは、請求項２記載の連続式コンビオーブンにおいて、入口側煙突付排気フードは、筒状入口部の略全体を覆うように配設されたフード本体部と、このフード本体部から上方に向って突出した排気煙突部とを有し、出口側煙突付排気フードは、筒状出口部の略全体を覆うように配設されたフード本体部と、このフード本体部から上方に向って突出した排気煙突部とを有するものである。
【００１０】
そして、入口側煙突付排気フードのフード本体部内に入った余剰蒸気を利用して筒状入口部を保温可能であるとともに、出口側煙突付排気フードのフード本体部内に入った余剰蒸気を利用して筒状出口部を保温可能である。
【００１１】
請求項４記載の連続式コンビオーブンは、請求項１ないし３のいずれか一記載の連続式コンビオーブンにおいて、筒状入口部および筒状出口部は、いずれも、縦断面形状が横長略矩形状をなす筒状部材にて構成されているものである。
【００１２】
そして、縦断面形状が横長略矩形状をなす筒状部材にて、加熱室の蒸気が加熱室外に逃げるのを適切に防止可能である。
【発明の効果】
【００１３】
請求項１記載の連続式コンビオーブンによれば、オーブン本体の加熱室の蒸気が加熱室外に逃げにくいため、加熱室内全体の温度を略一定に維持することができ、適切な蒸し調理ができる。
【００１４】
請求項２記載の連続式コンビオーブンによれば、入口側煙突付排気フードにて筒状入口部の先端面開口からの余剰蒸気を適切に排気できるとともに、出口側煙突付排気フードにて筒状出口部の先端面開口からの余剰蒸気を適切に排気できる。
【００１５】
請求項３記載の連続式コンビオーブンによれば、入口側煙突付排気フードのフード本体部内に入った余剰蒸気を利用して筒状入口部を保温できるとともに、出口側煙突付排気フードのフード本体部内に入った余剰蒸気を利用して筒状出口部を保温できる。
【００１６】
請求項４記載の連続式コンビオーブンによれば、縦断面形状が横長略矩形状をなす筒状部材にて、加熱室の蒸気が加熱室外に逃げるのを適切に防止できる。
【発明を実施するための最良の形態】
【００１７】
本発明の連続式コンビオーブンの一実施の形態を図面を参照して説明する。
【００１８】
図１ないし図６において、１は連続式コンビオーブンで、この連続式コンビオーブン１は、被加熱物（食品）Ｗをトレイ（容器）Ｔに載せた状態で搬送方向（図示Ｘ方向）に搬送しながら連続的に加熱調理する調理装置である。
【００１９】
なお、連続式コンビオーブン１は、熱気のみによる加熱調理、蒸気のみによる加熱調理、および熱気・蒸気の両方による加熱調理を選択的に行うものである。
【００２０】
連続式コンビオーブン１は、前面部３、後面部４、左右の側面部５，６、上面部７および下面部８を有する外形略直方体状で略箱状のオーブン本体10を備えている。
【００２１】
オーブン本体10の内側には、加熱室11および燃焼室12が形成され、加熱室11と燃焼室12とを仕切るように間に熱気供給路13が配設され、この熱気供給路13の上方および下方に加熱室11と燃焼室12とが連通する間隙を有している。
【００２２】
オーブン本体10の一側面部（図１では、右側の側面部）５には、横長略矩形状の入口側開口15が形成されている。そして、オーブン本体10の入口側開口15の周縁部からは、搬送方向視の縦断面形状が横長略矩形状をなす筒状部材16にて構成された先端面開口状で略四角筒状の筒状入口部（入口トンネル）17が一側方（図１では右側方）に向って突出している。筒状入口部17の先端面開口18が調理前の被加熱物Ｗの入口となっている。筒状入口部17の内部空間19は、入口側開口15を介して加熱室11に連通している。
【００２３】
なお、筒状入口部17の先端面開口18の開口寸法は、トレイＴの大きさに対応した寸法で、被加熱物ＷをトレイＴに載せたまま通過させることができる最小限の大きさとなっている。
【００２４】
オーブン本体10の他側面部（図１では、左側の側面部）には、横長略矩形状の出口側開口25が形成されている。そして、オーブン本体10の出口側開口25の周縁部からは、筒状入口部17と同様、搬送方向視の縦断面形状が横長略矩形状をなす筒状部材26にて構成された先端面開口状で略四角筒状の筒状出口部（出口トンネル）27が他側方（図１では左側方）に向って突出している。筒状出口部27の先端面開口28が調理済の被加熱物Ｗの出口となっている。筒状出口部27の内部空間29は、出口側開口25を介して加熱室11に連通している。
【００２５】
なお、筒状出口部27の先端面開口28の開口寸法は、トレイＴの大きさに対応した寸法で、被加熱物ＷをトレイＴに載せたまま通過させることができる最小限の大きさとなっている。また、オーブン本体10の前面部３および後面部４のそれぞれの一部は開閉扉となっている（図６参照）。
【００２６】
また、連続式コンビオーブン１は、筒状入口部17の先端面開口（入口）18から流出して上方に流動する余剰蒸気をフード本体部31で受け入れ、この受け入れた余剰蒸気を排気煙突部32から上方に排気する入口側煙突付排気フード33を備えている。
【００２７】
入口側煙突付排気フード33は、フード本体部31および排気煙突部32のみにて構成されたもので、筒状入口部17の上方に配置されている。
【００２８】
このフード本体部31は、筒状入口部17の略全体を覆うように配設されている。フード本体部31は、図４に示されるように、互いに離間対向した対向板35を有し、両対向板35の水平状の上縁部相互は、オーブン本体10の上面部７と略同一面状に位置する天板36にて連結されている。両対向板35の傾斜状の縁部相互は傾斜板37にて連結されている。両対向板35の垂直状の縁部相互は垂直板38にて連結されている。垂直板38には、筒状入口部17の先端面開口18と搬送方向に離間対向した横長略矩形状の開口40が切欠状に形成されている。一方、排気煙突部32は、略四角筒状のもので、フード本体部31の天板36から上方に向って垂直状に突出しており、この排気煙突部32の内部空間41はフード本体部31の内部空間42に連通している。
【００２９】
また同様に、連続式コンビオーブン１は、筒状出口部27の先端面開口（出口）28から流出して上方に流動する余剰蒸気をフード本体部51で受け入れ、この受け入れた余剰蒸気を排気煙突部52から上方に排気する出口側煙突付排気フード53を備えている。
【００３０】
出口側煙突付排気フード53は、フード本体部51および排気煙突部52のみにて構成されたもので、筒状出口部27の上方に配置されている。
【００３１】
このフード本体部51は、筒状出口部27の略全体を覆うように配設されている。そして、このフード本体部51も、前記図４に示すフード本体部31と同様、互いに離間対向した対向板55を有し、両対向板55の水平状の上縁部相互は、オーブン本体10の上面部７と略同一面状に位置する天板56にて連結されている。両対向板55の傾斜状の縁部相互は傾斜板57にて連結されている。両対向板55の垂直状の縁部相互は垂直板58にて連結されている。垂直板58には、筒状出口部27の先端面開口28と搬送方向に離間対向した横長略矩形状の開口60が切欠状に形成されている。一方、排気煙突部52は、略四角筒状のもので、フード本体部51の天板56から上方に向って垂直状に突出しており、この排気煙突部52の内部空間61はフード本体部51の内部空間62に連通している。
【００３２】
さらに、連続式コンビオーブン１は、オーブン本体10の加熱室11に熱気を供給する熱気供給手段65と、オーブン本体10の加熱室11に蒸気を供給する蒸気供給手段66とを備えている。
【００３３】
熱気供給手段65は、熱気供給路13とこの熱気供給路13に連通し加熱室11の上側および下側にそれぞれ位置する熱気噴出孔付きの熱気案内体68を有するとともに、ファン69、ファン用モータ70およびセラミックバーナ71等を有している。なお、熱気は、ファン69の駆動により加熱室11および燃焼室12を循環するようになっている（図２および図３で熱気の流れを示す）。
【００３４】
一方、蒸気供給手段66は、加熱室11の下側に位置する蒸気噴出孔付きの蒸気パイプ72、およびこの蒸気パイプ72に接続された蒸気供給管73等を有している。
【００３５】
また、連続式コンビオーブン１は、被加熱物ＷをトレイＴに載せた状態でオーブン本体10を横切るように搬送方向に搬送する搬送手段（コンベヤ）76を備えている。
【００３６】
搬送手段76は、被加熱物Ｗが入口側煙突付排気フード33の垂直板38の開口40、筒状入口部17の先端面開口18、筒状入口部17の内部空間19、入口側開口15、加熱室11、出口側開口25、筒状出口部27の先端面開口28、筒状出口部27の内部空間29、および出口側煙突付排気フード53の垂直板58の開口60を順次通過するように、所定方向に回転しながら被加熱物Ｗを搬送方向に搬送する搬送用無端体77を有している。
【００３７】
そして、搬送用無端体77は複数の回転体78に掛け渡されており、往路面部77aはオーブン本体10内および各トンネル17，27内に配設され、復路面部77bはオーブン本体10の下方に配設されている。また、搬送用無端体77は、駆動モータ79からの動力で所定方向に回転可能となっている。
【００３８】
なお、連続式コンビオーブン１は、熱気供給手段65、蒸気供給手段66および搬送手段76等を制御する制御手段80を備えている。
【００３９】
次に、上記一実施の形態の作用等を説明する。
【００４０】
連続式コンビオーブン１を用いて、例えば蒸気を利用して被加熱物Ｗを開放状態で加熱調理する場合、調理用の蒸気が、蒸気パイプ72の蒸気噴出孔から加熱室11に供給され、加熱室11に充満する。
【００４１】
そして、この加熱室11に充満した蒸気の熱によって、トレイＴ上の被加熱物Ｗが加熱調理される。
【００４２】
この蒸気利用による調理時において、蒸気の一部つまり余剰蒸気は、図１に示すように、筒状入口部17の先端面開口18から流出し、入口側煙突付排気フード33内（フード本体部31の内部空間42および排気煙突部32の内部空間41）を通過し、その入口側煙突付排気フード33の排気煙突部32の上面開口から排気として排出されるとともに、筒状出口部27の先端面開口28から流出し、出口側煙突付排気フード53内（フード本体部51の内部空間62および排気煙突部52の内部空間61）を通り、その出口側煙突付排気フード53の排気煙突部52の上面開口から排気として排出される。
【００４３】
この蒸気の流出は、入口側開口15に筒状入口部17、また出口側開口25に筒状出口部27をそれぞれ突出させていることで、内部空間19，29では抵抗が生じており、筒状入口部17および筒状出口部27がない時と比べ、その流出は抑えられている。さらに、トンネル状をなす筒状入口部17および筒状出口部27が存在し、これら筒状入口部17および筒状出口部27がいずれも被加熱物ＷをトレイＴとともに通過可能な最小限の大きさとなっていること等から、先端面開口（入口）18および先端面開口（出口）28からの蒸気の流出には抵抗がかかり、その流出量は制限される。
【００４４】
その結果、加熱室11の蒸気は加熱室11外に必要量以上に多く逃げてしまうようなことがなく、加熱室11の温度は室内全体にわたって略一定に維持され、開放状態での均一な蒸し調理が適切に行われる。
【００４５】
また蒸気利用による調理時には、入口側煙突付排気フード33のフード本体部31内に入った余剰蒸気の熱によって筒状入口部17が保温されるとともに、出口側煙突付排気フード53のフード本体部51内に入った余剰蒸気の熱によって筒状出口部27が保温され、加熱室11の温度の安定化が図られる。
【００４６】
なお、図１中、矢印で示すように、フード本体部31，51の天板36，56から突出している排気煙突部32，52の上昇ドラフト効果により、フード本体部31，51内が負圧となり、周囲空気（外部の空気）が、排気フード33，53の開口40，60からフード本体部31，51内に入り込むようになっている。
【００４７】
このとき、排気フード33，53の開口40，60は、筒状入口部17および筒状出口部27の先端面開口18，28から離れているとともに、外部と隣接していることから、抵抗の生じない周囲空気が多くフード本体部31，51内に入り込むようになっている。
【００４８】
このように連続式コンビオーブン１によれば、蒸気を利用して被加熱物Ｗを加熱調理する場合において、オーブン本体10の加熱室11内に必要な蒸気が加熱室11外に逃げにくいため、加熱室11内に必要な蒸気の流出を抑制でき、よって、加熱室11の温度を室内全体にわたって略一定に維持でき、適切な蒸し調理ができる。
【００４９】
また、筒状入口部17および筒状出口部27を覆うようにフード本体部31，51を配設し、そのフード本体部31，51に排気煙突部32，52を突出して、先端面開口18，28から流出する余剰蒸気をフード本体部31，51内を通過させていることから、被加熱物Ｗの出入れ時に目の前で蒸気が立ち上がることなく安全に作業をすることができる。
【００５０】
また、各排気フード33，53のフード本体部31，51内に入った蒸気の熱にて、筒状入口部17および筒状出口部27、つまり各トンネル17，27をそれぞれ保温できるため、加熱室11の温度の安定化を図ることができる。
【００５１】
なお、各トンネル17，27の効果の確認のために、トンネルありのコンビオーブン（本発明）とトンネルなしのコンビオーブン（従来技術）とを使用して異なる２点での庫内温度（スチームモードでの加熱室11内の温度）を測定するとともに、トンネルありのコンビオーブンを使用してシューマイを加熱調理してみた。この結果を次の表１および表２に示す。
【００５２】
【表１】
2005074155.tif 000003
【００５３】
【表２】
2005074155.tif 000004
【００５４】
この結果から明らかなように、トンネルありのコンビオーブンでは、加熱室11の温度を室内全体にわたって略一定にでき、シューマイを問題なく蒸すことができた。
【図面の簡単な説明】
【００５５】
【図１】本発明の連続式コンビオーブンの一実施の形態の正面視断面図である。
【図２】同上連続式コンビオーブンの平面視断面図である。
【図３】同上連続式コンビオーブンの側面視断面図である。
【図４】同上連続式コンビオーブンの要部斜視図である。
【図５】同上連続式コンビオーブンの正面図である。
【図６】同上連続式コンビオーブンの平面図である。
【符号の説明】
【００５６】
１    連続式コンビオーブン
５    一側面部
６    他側面部
10    オーブン本体
11    加熱室
15    入口側開口
16，26    筒状部材
17    筒状入口部（入口トンネル）
18，28    先端面開口
25    出口側開口
27    筒状出口部（出口トンネル）
31，51    フード本体部
32，52    排気煙突部
33    入口側煙突付排気フード
53    出口側煙突付排気フード
Ｗ    被加熱物
【図１】
2005074155.tif 000005
【図２】
2005074155.tif 000006
【図３】
2005074155.tif 000007
【図４】
2005074155.tif 000008
【図５】
2005074155.tif 000009
【図６】
2005074155.tif 000010